(57)【要約】      （修正有）【課題】回転抵抗力を有するヒンジ機構と、これにより連結された３つのパネルが所定の開放姿勢に保持される三面鏡の提供。【解決手段】中間パネル２の一端縁部に屈曲部４を介して外パネル１が連結されると共に、中間パネル２の他端縁部に屈曲部５を介して内パネル３が連結され、中間パネル２と外パネル１が内パネル３を挟んで重なり合う状態に折畳まれる構成の三面鏡であり、中間パネル２と外パネル１及び内パネル３の折畳み側の面には鏡１Ｍ〜３Ｍが取り付けられる。屈曲部４，５は、第１ヒンジ胴４１，５１と第２ヒンジ胴４２，５２とを有するヒンジ機構から成り、外パネル１には第１ヒンジ胴４１が固設され、中間パネル２には第２ヒンジ胴４２，５２が固設される。又、内パネル３には第１ヒンジ胴５１が固設される。そして、第１ヒンジ胴４１，４２、及び５１，５２の間における相対的な回転抵抗力が調整可能とされる。【選択図】図１
0003118965.tif 000002
【実用新案登録請求の範囲】
【請求項１】
筒状の第１ヒンジ胴と、該第１ヒンジ胴内に嵌入されてその軸線方向に摺動可能とされるスライダと、該スライダと第１ヒンジ胴の相対的な回転を規制する回転防止手段と、ヘッド部及び軸部を有して該軸部が前記スライダの中心部分に通される雄ネジ部材と、該雄ネジ部材の軸部を螺入するネジ孔を有する第２ヒンジ胴と、該第２ヒンジ胴と前記スライダとの間に挟まれる摩擦板と、前記スライダと雄ネジ部材のヘッド部との間に介在されて前記スライダをその端面部が前記摩擦板に圧接される方向に付勢する弾性部材とを具備して成るヒンジ機構。
【請求項２】
中間パネルの一端縁部に第１の屈曲部を介して外パネルが連結されると共に、前記中間パネルの他端縁部に第２の屈曲部を介して内パネルが連結され、前記中間パネルと外パネルが内パネルを挟んで重なり合う状態に折畳まれる構成の三面鏡であり、
前記中間パネルと外パネル及び内パネルの折畳み側の面にそれぞれ鏡が取り付けられると共に、前記第１の屈曲部と第２の屈曲部が請求項１記載のヒンジ機構から成り、
前記第１の屈曲部として中間パネルの一端縁部に前記ヒンジ機構を構成する第１ヒンジ胴と第２ヒンジ胴のうち何れか一方が固設されて他方が外パネルの一端縁部に固設されると共に、
前記第２の屈曲部として中間パネルの他端縁部にも前記ヒンジ機構を構成する第１ヒンジ胴と第２ヒンジ胴のうち何れか一方が固設されて他方が内パネルの一端縁部に固設されていることを特徴とする三面鏡。
【請求項３】
外パネルに固定される手提げ用の把持部を有し、その把持部が第１の屈曲部側で外パネルの一端縁部より張り出していることを特徴とする請求項２記載の三面鏡。
【請求項４】
外パネルには、内パネルを挟んで外パネルと中間パネルを重なり合う状態に折畳んだときに第２の屈曲部に圧接して外パネルに対する中間パネルの開放を抑制する弾性突片が設けられている請求項２、又は３記載の三面鏡。
【請求項５】
外パネルと内パネルを中間パネルの左右両側に折れ曲がった状態に開放したときに、前記外パネルと内パネルの下向きの一端縁部を支持するための脚体を備えた請求項２、３、又は４記載の三面鏡。
【考案の詳細な説明】
【技術分野】
【０００１】
本考案は、連結部材が重力などの作用によって不用意に回動することを防止できる回転抵抗力を有したヒンジ機構と、これを備えた三面鏡に関する。
【背景技術】
【０００２】
一般に、三面鏡は鏡台のような大型の定置式が主流であるが、これに卓上式のものも知られる（例えば、特許文献１）。
【０００３】
係る卓上式三面鏡は、中間パネル（中間プレート）の一端縁部に第１の屈曲部を介して外パネル（蓋プレート）が連結されると共に、中間パネルの他端縁部に第２の屈曲部を介して内パネル（側部プレート）が連結され、中間パネルと外パネルが内パネルを挟んで重なり合う状態に折畳まれる構成であり、中間パネルと外パネル及び内パネルの折畳み側の面にはそれぞれ鏡が取り付けられている。
【０００４】
そして、以上のような三面鏡によれば、使用に際して中間パネルの両側に外パネルと内パネルとを折り曲げた状態にして開き、その状態で化粧や身だしなみの確認を行うことができる。
【０００５】
【特許文献１】登録実用新案第３０９７６５９号公報
【考案の開示】
【考案が解決しようとする課題】
【０００６】
しかしながら、特許文献１などに記載される三面鏡によれば、第１の屈曲部と第２の屈曲部を構成する各パネルの連結部分（ヒンジ機構）は、「こま」と呼ばれる筒体内に軸を挿入しただけの構成であるから、外パネル（蓋プレート）を下にして、その上方に中間パネル（中間プレート）と内パネル（側部プレート）を開放しようとしても、それらは重力の作用により展開方向又は閉鎖方向に回動してしまう。
【０００７】
したがって、特許文献１の三面鏡は上下方向に開閉するものでなく、左右方向に開閉する使用態様とされるが、開放された各パネルは水平面に対して傾き無く直立するので、係る三面鏡を配置する面が低いと、化粧する場合に背中を大きく丸めなければならず、使い勝手が悪いという欠点がある。
【０００８】
本考案は以上のような事情に鑑みて成されたものであり、その目的は三面鏡を構成する各パネルを上下方向に開放した場合でも、各パネルを所定の開放姿勢に保持することのできる回転抵抗力を有したヒンジ機構と、これを備えた三面鏡を提供することにある。
【課題を解決するための手段】
【０００９】
上記目的を達成するため、本考案のヒンジ機構は、筒状の第１ヒンジ胴と、該第１ヒンジ胴内に嵌入されてその軸線方向に摺動可能とされるスライダと、該スライダと第１ヒンジ胴の相対的な回転を規制する回転防止手段と、ヘッド部及び軸部を有して該軸部が前記スライダの中心部分に通される雄ネジ部材と、該雄ネジ部材の軸部を螺入するネジ孔を有する第２ヒンジ胴と、該第２ヒンジ胴と前記スライダとの間に挟まれる摩擦板と、前記スライダと雄ネジ部材のヘッド部との間に介在されて前記スライダをその端面部が前記摩擦板に圧接される方向に付勢する弾性部材とを具備することを特徴とする。
【００１０】
又、本考案の三面鏡は、中間パネルの一端縁部に第１の屈曲部を介して外パネルが連結されると共に、前記中間パネルの他端縁部に第２の屈曲部を介して内パネルが連結され、前記中間パネルと外パネルが内パネルを挟んで重なり合う状態に折畳まれる構成の三面鏡であり、前記中間パネルと外パネル及び内パネルの折畳み側の面にそれぞれ鏡が取り付けられると共に、前記第１の屈曲部と第２の屈曲部が請求項１記載のヒンジ機構から成り、
前記第１の屈曲部として中間パネルの一端縁部に前記ヒンジ機構を構成する第１ヒンジ胴と第２ヒンジ胴のうち何れか一方が固設されて他方が外パネルの一端縁部に固設されると共に、前記第２の屈曲部として中間パネルの他端縁部にも前記ヒンジ機構を構成する第１ヒンジ胴と第２ヒンジ胴のうち何れか一方が固設されて他方が内パネルの一端縁部に固設されていることを特徴とする。
【００１１】
加えて、外パネルに固定される手提げ用の把持部を有し、その把持部が第１の屈曲部側で外パネルの一端縁部より張り出していることを特徴とする。
【００１２】
又、外パネルには、内パネルを挟んで外パネルと中間パネルを重なり合う状態に折畳んだときに第２の屈曲部に圧接して外パネルに対する中間パネルの開放を抑制する弾性突片が設けられていることを特徴とし、更には外パネルと内パネルを中間パネルの左右両側に折れ曲がった状態に開放したときに、前記外パネルと内パネルの下向きの一端縁部を支持するための脚体を備えていることを特徴とする。
【考案の効果】
【００１３】
本考案に係るヒンジ機構によれば、雄ネジ部材のねじ込みにより摩擦板に対するスライダの端面部の圧接力を調整し、第１ヒンジ胴と第２ヒンジ胴との間における相対的な回転抵抗力を増減することができる。
【００１４】
よって、係るヒンジ機構を備えた三面鏡によれば、これを構成する各パネルの開放方向に拘らず、第１ヒンジ胴と第２ヒンジ胴の間における回転抵抗力により各パネルを所定の開放姿勢に保持することができ、各パネルを上下方向に開放する使用態様では各パネルの開き角度を調整して使用者が自らの頭頂部を合わせ鏡の原理により容易に視認することができる。
【００１５】
特に、請求項３の考案では、外パネルに手提げ用の把持部が固定されることから、各パネルを折畳んだ状態で把持部を手にして持ち歩くことができ、しかも係る把持部が第１の屈曲部側で外パネルの一端縁部より張り出していることから、外パネルを下にして中間パネルを外パネルの後方に傾斜する状態に開放した場合でも、把持部がアウトリガとして機能するので、外パネルの手前側が浮き上げってしまう事がなく、全体の安定性が増すという効果を得られる。
【００１６】
又、請求項４の考案では、外パネルに、内パネルを挟んで外パネルと中間パネルを重なり合う状態に折畳んだときに第２の屈曲部に圧接して外パネルに対する中間パネルの開放を抑制する弾性突片が設けられていることから、各パネルが不用意に開放してしまうことを防止できる。
【００１７】
更に、請求項５の考案では、外パネルと内パネルを中間パネルの左右両側に折れ曲がった状態に開放する使用態様でも、脚体により外パネルと内パネルの下向きの一端縁部を支持して中間パネルを後方に傾斜させることができ、このため使用者は背筋を伸ばした姿勢で化粧を行うことができる。
【考案を実施するための最良の形態】
【００１８】
以下、図面に基づいて本考案を詳しく説明する。先ず、図１は本考案に係る三面鏡の使用態様を示す。図１において、１は外パネル、２は中間パネル、３は内パネルであり、外パネル１と中間パネル２は第１の屈曲部４を介して連結され、中間パネル２と内パネル３は第２の屈曲部５を介して連結される。尚、非使用時において、外パネル１と中間パネル２は内パネル３を挟んで重なり合う状態に折畳まれるが、それら各パネル１〜３の折畳み側の面にはそれぞれ鏡１Ｍ，２Ｍ，３Ｍが取り付けられる。
【００１９】
そして、係る三面鏡によれば、使用に際して図１のように外パネル１をテーブルなどの上に置き、その上方に中間パネル２と内パネル３を折れ曲がった状態に開き、その状態で使用者の頭頂部を上方に位置する内パネルの鏡３Ｍに写すことにより、使用者は自らの頭頂部を顔面に対向する外パネルの鏡１Ｍによって視認することができる。
【００２０】
従って、本願三面鏡を用いれば、頭頂部の毛髪が不足する者が、静電気の作用により毛髪に付着する短繊維状の人工毛を用いて頭頂部の毛髪不足を補う場合、係る人工毛による頭頂部の仕上がり状態を良好に確認することができる。
【００２１】
尚、第１の屈曲部４と第２の屈曲部５は回転抵抗力を有するヒンジ機構から構成され、これにより連結される各パネル１〜３を使用者が設定した初期の開放姿勢に保持することのできる構成とされるが、その具体的構成については後述する。
【００２２】
又、図１において、６は外パネルに固定される手提げ用の把持部であり、この把持部６は図１のような使用態様において外パネル１の寸法を増し、全体の安定度を増加するためのアウトリガとして機能する。つまり、把持部６は第１の屈曲部４側で外パネル１の一端縁部より張り出しており、このため鏡１Ｍを上向きにしてテーブル上などに配置された外パネル１に対し、中間パネル２を後方に傾斜する状態に開放した場合でも、その荷重を把持部６が受けて外パネル１の手前側が浮き上がることを防止できる。
【００２３】
次に、図２は以上のような三面鏡を折畳んだ状態を示す。この図から明らかなように、外パネル１と中間パネル２を連結する第１の屈曲部４は、外パネル１の一端縁部における左右両側に相対向して固設される第１ヒンジ胴４１と、その内側となる位置で中間パネル２の一端縁部に相対向して固設される第２ヒンジ胴４２とを具備して構成される。本例において、第１ヒンジ胴４１は合成樹脂により図３に示すよう外パネル１と一体に成形され、第２ヒンジ胴４２も合成樹脂により図４に示すよう中間パネル２と一体に成形される。
【００２４】
一方、把持部６は図２及び図３のように台形状の輪郭を有し、その両端は第１ヒンジ胴４１を介して外パネル１に一体的に連結されている。尚、図２のように、第１ヒンジ胴４１には把持部６の連結部分で凸部７が形成されると共に、中間パネル２の一端縁部には凸部７に対応して凹部８が形成され、その凸部７と凹部８の係合により、外パネル１と中間パネル２の開き角度θ（図１参照）が９５〜１５０度（本例において約１２０度）に制限されるようにしてある。
【００２５】
又、本願三面鏡によれば、非使用時において、図２のように外パネル１と中間パネル２を重ね合わせた状態に折畳み、その状態で把持部６を手にして係る三面鏡を持ち歩くことができる。
【００２６】
図５は、外パネル１に対して中間パネル２を上方に開放した状態を示す斜視図である。尚、図５において内パネル３は閉じられている。この図で明らかなように、中間パネル２と内パネル３を連結する第２の屈曲部５も第１の屈曲部４と同様に二つ一組の第１ヒンジ胴５１と第２ヒンジ胴５２を具備して構成される。本例において、第１ヒンジ胴５１は内パネル３の一端縁部の両側に相対向して固設される一方、第２ヒンジ胴５２は第１ヒンジ胴５１の外側となる位置で中間パネル２の一端縁部両側に固設されている。つまり、中間パネル２には、その一端縁部に第１の屈曲部を構成する第２ヒンジ胴４２が固設されるほか、その他端縁部にも第２の屈曲部を構成する第２ヒンジ胴５２が固設される。
【００２７】
尚、第１ヒンジ胴５１は合成樹脂により内パネル３と一体に成形され、第２ヒンジ胴５２も合成樹脂により中間パネル２と一体に成形される。
【００２８】
又、図５において、９は外パネル１に対する中間パネル２の開放を抑制する板バネ状の弾性突片であり、この弾性突片９は外パネル１の折畳み側の面（鏡１Ｍの取付面）上にあって、第２の屈曲部５と対応する位置に突設される。
【００２９】
しかして、内パネル３を挟んで外パネル１と中間パネル２を重なり合う状態に折畳んだとき、係る弾性突片９，９が図６のように第２の屈曲部を構成する第２ヒンジ胴５１，５１の間に挟み込まれ、その弾性突片９と第２ヒンジ胴５１が弾性突片９の弾力をもって互いに圧接することにより、外パネル１に対する中間パネル２の開放が抑制されるようになっている。従って、本願三面鏡の非使用時に外パネル１と中間パネル２、及びその両者間に挟まれる内パネル３が不用意に開放してしまうことがなく、それらを確り閉じたまま持ち歩くことができる。
【００３０】
次に、本願三面鏡の他の使用態様を図７、図８に示す。図７及び図８では、外パネル１と内パネル３が中間パネル２の左右両側に折れ曲がった状態に開かれ、この状態で下向きとなる外パネル１と内パネル３の一端縁部が脚体１０により支持されている。このような使用態様によれば、中間パネル２が後方に傾斜するのみならず、その傾斜角度を脚体１０の支持位置により自由に調節することができるので、本願三面鏡の配置面の高さに拘らず背筋を伸ばした姿勢で化粧を行うことができ、しかも各パネルの鏡１Ｍ〜３Ｍにより化粧の仕上がりを正面方向と左右両側方向からチェックすることができる。
【００３１】
尚、脚体１０は、図９のように土台部１１とその上方に延びる起立部１２ともつ逆Ｔ字形の合成樹脂製部品であり、外パネル１と内パネル３の一端縁部に接触される起立部１２の上端には滑り止め用としてゴム板１３が貼着される。
【００３２】
ここで、上記のような三面鏡を構成する第１の屈曲部と第２の屈曲部の具体的構成について説明する。
【００３３】
先ず、図１０及び図１１により、第１の屈曲部４を構成するヒンジ機構について説明すれば、係るヒンジ機構は上記のように第１ヒンジ胴４１と第２ヒンジ胴４２とを具備して構成される。第１ヒンジ胴４１と第２ヒンジ胴４２は何れも円筒状であるが、第１ヒンジ胴４１の一端開口部は着脱自在な蓋４１Ａにより閉鎖され、第２ヒンジ胴４２の一端は周壁と一体の壁体４２Ａにより閉鎖されている。
【００３４】
第１ヒンジ胴４１内にはその軸線方向に摺動可能とされるスライダ４３が嵌入され、係るスライダ４３は円筒状の周壁部４３Ａとその一端を閉鎖する端面部４３Ｂとを有した縦断面凹字形の形態とされる。又、スライダ４３と第１ヒンジ胴４１の相対的な回転を規制する回転防止手段として、第１ヒンジ胴４１の内周部に直線状のキー部４１Ｂが突設されると共に、スライダ４３の外周部にはキー部４１Ｂを嵌め込むキー溝部４３Ｃが形成される。
【００３５】
更に、スライダ４３の内部には２つのワッシャ４４とこれにより挟まれる弾性部材４５（圧縮コイルバネ）が収容され、それらワッシャ４４と弾性部材４５に雄ネジ部材４６の軸部４６Ａが貫通されるようにしてある。
【００３６】
雄ネジ部材４６は、ねじ山を有する軸部４６Ａの一端にそれより大径のヘッド部４６Ｂを備えるものであり、係る雄ネジ部材の軸部４６Ａは、スライダ４３の端面部４３Ｂの中心部分に穿設される貫通孔４３Ｄを通じて先端部が第２ヒンジ胴４２側に突出される。
【００３７】
一方、第２ヒンジ胴４２は、その内部に嵌め込まれるインナー部品４７を含んで構成され、そのインナー部品４７の中心部に雄ネジ部材の軸部４６Ａを螺入するためのネジ孔４８Ａを形成する袋ナット４８が固設されている。尚、本例では、第２ヒンジ胴４２とインナー部品４７の相対的な回転を規制するため、第２ヒンジ胴４２の内周部にキー部４２Ａを突設すると共に、インナー部品４７の外周部にキー部４２Ａを嵌め込むキー溝部４７Ａを形成しているが、第２ヒンジ胴４２をインナー部品４７と一体の成型物とし、その中心に雄ネジ部材の軸部４６Ａを螺入するネジ孔を刻設するようにしてもよい。
【００３８】
ここに、第１ヒンジ胴４１とインナー部品４７を含む第２ヒンジ胴４２は、雄ネジ部材４６により直列状態に連結されるが、第１ヒンジ胴４１内に設けたスライダ４３と、第２ヒンジ胴４２のインナー部品４７との間には摩擦板４９が挟み込まれ、この状態でスライダ４３と雄ネジ部材のヘッド部４６Ｂとの間に介在される弾性部材４５によってスライダ４３が摩擦板４９に向けて付勢されることにより、摩擦板４９の両面にスライダの端面部４３Ｂとインナー部品の端面部４７Ｂが圧接するようにしてある。尚、スライダの端面部４３Ｂとインナー部品の端面部４７Ｂはそれぞれ凹凸面（平面でもよい）とされ、これにより挟まれる摩擦板４９は摩擦係数の大きいゴムなどの平板とされる。
【００３９】
しかして、以上のようなヒンジ機構から構成される第１の屈曲部４によれば、雄ネジ部材４６の締め付けにより、スライダの端面部４３Ｂとインナー部品の端面部４７Ｂを摩擦板４９に強力に圧接せしめて第１ヒンジ胴４１と第２ヒンジ胴４２との相対的な回転抵抗力を上げることができる。このため、第１ヒンジ胴４１と第２ヒンジ胴４２を隣接させた状態でそれらが固設される上記の外パネル１と中間パネル２を所定の開放姿勢に保持することができる。
【００４０】
次に、図１２及び図１３により、第２の屈曲部５を構成するヒンジ機構について説明すれば、係るヒンジ機構は上記のように第１ヒンジ胴５１と第２ヒンジ胴５２とを具備して構成される。第１ヒンジ胴５１と第２ヒンジ胴５２は何れも円筒状であり、このうち第２ヒンジ胴５２の一端は周壁と一体の壁体５２Ａにより閉鎖されている。
【００４１】
第１ヒンジ胴５１内には，その軸線方向に摺動可能とされる円筒状のスライダ５３が嵌入され、該スライダ５３はその一端に鍔部５３Ａを有した縦断面Ｔ字形の形態とされる。又、スライダ５３と第１ヒンジ胴５１の相対的な回転を規制する回転防止手段として、第１ヒンジ胴５１の内周部に直線状のキー溝部５１Ａが形成されると共に、スライダ５３の外周部にはキー溝部５１Ａに嵌め込まれるキー部５３Ｂが形成される。
【００４２】
更に、スライダ５３の内部にはワッシャ５４及び弾性部材５５（スプリングワッシャ）を介して雄ネジ部材５６の軸部５６Ａが貫通されるようにしてある。
【００４３】
雄ネジ部材５６は、ねじ山を有する軸部５６Ａの一端にそれより大径のヘッド部５６Ｂを備えるものであり、係る雄ネジ部材の軸部５６Ａは、スライダ５３の内部を通じて先端部が第２ヒンジ胴５２側に突出される。
【００４４】
一方、第２ヒンジ胴５２の内部には、雄ネジ部材の軸部５６Ａを螺入するためのネジ孔を形成するナット５８が固設されている。
【００４５】
ここに、第１ヒンジ胴５１と第２ヒンジ胴５２は、雄ネジ部材５６により直列状態に連結されるが、第１ヒンジ胴５１内に設けたスライダ５３と、第２ヒンジ胴５２との間には摩擦板５９が挟み込まれ、この状態でスライダ５３と雄ネジ部材のヘッド部５６Ｂとの間に介在される弾性部材５５によってスライダ５３が摩擦板５９に向けて付勢されることにより、摩擦板５９の両面にスライダの鍔部５３Ａと第２ヒンジ胴５２との端面が圧接するようにしてある。
【００４６】
尚、本例の摩擦板５９も摩擦係数の大きいゴムなどの平板とされる。又、図１２のように、第２ヒンジ胴５２の内部には、雄ネジ部材５６とナット５８の緩み止め用として、その両者間に挿入するナット６０（ナイロンインサートナット）が設けられる。
【００４７】
しかして、以上のようなヒンジ機構から構成される第２の屈曲部５によれば、雄ネジ部材５６の締め付けにより、スライダの鍔部５３Ａと第２ヒンジ胴５２との端面を摩擦板５９に強力に圧接せしめて第１ヒンジ胴５１と第２ヒンジ胴５２との相対的な回転抵抗力を上げることができる。このため、第１ヒンジ胴５１と第２ヒンジ胴５２を隣接させた状態でそれらが固設される上記の中間パネル２と内パネル３を所定の開放姿勢に保持することができる。
【００４８】
以上、本考案について説明したが、第１の屈曲部と第２の屈曲部を構成するヒンジ機構は、三面鏡のほか種々の部材の連結に用いることができる。又、上記例では第１の屈曲部と第２の屈曲部を構成するヒンジ機構の構成を部分的に相違させているが、両者を上記した２つの構成例のうちの一方に統一してもよい。
【図面の簡単な説明】
【００４９】
【図１】本考案に係る三面鏡の使用態様を示す説明図
【図２】同三面鏡を折畳んだ非使用時の状態を示す斜視図
【図３】外パネルの一端縁部を示す部分拡大図
【図４】中間パネルの一端縁部を示す部分拡大図
【図５】外パネルと中間パネルを開放した状態を示す斜視図
【図６】折畳まれた三面鏡の部分断面図
【図７】本願三面鏡の他の使用態様を示す説明図
【図８】図７の矢印方向からみた図
【図９】脚体を示す斜視図
【図１０】第１の屈曲部を構成するヒンジ機構の断面図
【図１１】同ヒンジ機構の斜視分解図
【図１２】第２の屈曲部を構成するヒンジ機構の断面図
【図１３】同ヒンジ機構の分解図
【符号の説明】
【００５０】
１  外パネル
１Ｍ  鏡
２  中間パネル
２Ｍ  鏡
３  内パネル
３Ｍ  鏡
４  第１の屈曲部（ヒンジ機構）
５  第２の屈曲部（ヒンジ機構）
４１，５１  第１ヒンジ胴
４２，５２  第２ヒンジ胴
４３，５３  スライダ
４５，５５  弾性部材
４６，５６  雄ネジ部材
４８Ａ  ネジ孔
４９，５９  摩擦板
６  把持部
９  弾性突片
１０  脚体
【図１】
0003118965.tif 000003
【図２】
0003118965.tif 000004
【図３】
0003118965.tif 000005
【図４】
0003118965.tif 000006
【図５】
0003118965.tif 000007
【図６】
0003118965.tif 000008
【図７】
0003118965.tif 000009
【図８】
0003118965.tif 000010
【図９】
0003118965.tif 000011
【図１０】
0003118965.tif 000012
【図１１】
0003118965.tif 000013
【図１２】
0003118965.tif 000014
【図１３】
0003118965.tif 000015